(57)【特許請求の範囲】
【請求項１】
撮像部に入射する被写体光が通過する矩形の開口部を有するカメラボディに、前記開口部と向かい合うように取り付けられるレンズ鏡筒であって、
光学系を保持する鏡筒と、
前記鏡筒を前記カメラボディに取り付けるための複数の鏡筒側マウント爪と、を備え、
前記各鏡筒側マウント爪は、前記開口部の対角線より短い直径の円周に沿って配置されており、
当該レンズ鏡筒が前記カメラボディに取り付けられた状態において、前記光学系の光軸方向から見て、前記各鏡筒側マウント爪は、前記開口部の全ての角を避け、かつ、前記開口部の辺の外側に位置すること、
を特徴とするレンズ鏡筒。
【請求項２】
撮像部に入射する被写体光が通過する矩形の開口部を有するカメラボディに、前記開口部と向かい合うように取り付けられるレンズ鏡筒であって、
光学系を保持する鏡筒と、
前記鏡筒を前記カメラボディに取り付けるための複数の鏡筒側マウント爪と、
前記光学系の光軸周りの周方向に沿って備えられ、前記各鏡筒側マウント爪を保持する筒部材と、を備え、
当該レンズ鏡筒が前記カメラボディに取り付けられた状態において、前記光軸方向から見て、前記筒部材は前記開口部の角の内側に位置し、前記各鏡筒側マウント爪は、前記開口部の全ての角を避け、かつ、前記開口部の辺の外側に位置すること、
を特徴とするレンズ鏡筒。
【請求項３】
請求項１または２に記載されたレンズ鏡筒であって、
当該レンズ鏡筒が前記カメラボディに取り付けられた状態において前記撮像部と平行となる鏡筒側取付け面を有し、
前記鏡筒側マウント爪は、前記鏡筒側取付け面と平行な平面に備えられること、
を特徴とするレンズ鏡筒。
【請求項４】
請求項１または２に記載されたレンズ鏡筒であって、
前記鏡筒側マウント爪と同一平面に備えられた前記鏡筒側マウント爪を補強する補強部を有すること、
を特徴とするレンズ鏡筒。
【請求項５】
請求項４に記載されたレンズ鏡筒であって、
前記補強部は、前記鏡筒側マウント爪と前記鏡筒側マウント爪との間に備えられていること、
を特徴とするレンズ鏡筒。
【請求項６】
請求項３に記載されたレンズ鏡筒であって、
当該レンズ鏡筒が前記カメラボディに取り付けられた状態において、前記鏡筒側マウント爪は、前記鏡筒側取付け面と前記撮像部との間に位置すること、
を特徴とするレンズ鏡筒。
【請求項７】
撮像部に入射する被写体光が通過する矩形の開口部を有するカメラボディに、前記開口部と向かい合うようにレンズ鏡筒が取り付けられる撮像装置であって、
前記レンズ鏡筒は、光学系を保持する鏡筒と、前記鏡筒を前記カメラボディに取り付けるための複数の鏡筒側マウント爪と、を備え、
前記各鏡筒側マウント爪は、前記開口部の対角線より短い直径の円周に沿って配置されており、
前記レンズ鏡筒が前記カメラボディに取り付けられた状態において、前記光学系の光軸方向から見て、前記各鏡筒側マウント爪は、前記開口部の全ての角を避け、かつ、前記開口部の辺の外側に位置すること、
を特徴とする撮像装置。
【発明の詳細な説明】
【技術分野】
【０００１】
本発明は、レンズ鏡筒、撮影装置およびカメラボディに関する。
【背景技術】
【０００２】
従来技術として、有害光カット絞りをイメージサークルの大きさに応じて付け替えることができるレンズ鏡筒が提案されている。しかしながら、従来のレンズ鏡筒では、バヨネットマウントに起因する反射光の影響を低減させることはできなかった（特許文献１参照）。
【特許文献１】特開２０００−１２１９０４号公報
【発明の開示】
【発明が解決しようとする課題】
【０００３】
本発明の課題は、反射光の影響を低減させることができるレンズ鏡筒、撮影装置およびカメラボディを提供することである。
【課題を解決するための手段】
【０００４】
前記課題を解決するために、請求項１の発明は、撮像部に入射する被写体光が通過する矩形の開口部を有するカメラボディに、前記開口部と向かい合うように取り付けられるレンズ鏡筒であって、光学系を保持する鏡筒と、前記鏡筒を前記カメラボディに取り付けるための複数の鏡筒側マウント爪と、を備え、前記各鏡筒側マウント爪は、前記開口部の対角線より短い直径の円周に沿って配置されており、当該レンズ鏡筒が前記カメラボディに取り付けられた状態において、前記光学系の光軸方向から見て、前記各鏡筒側マウント爪は、前記開口部の全ての角を避け、かつ、前記開口部の辺の外側に位置すること、を特徴とするレンズ鏡筒である。
請求項２の発明は、撮像部に入射する被写体光が通過する矩形の開口部を有するカメラボディに、前記開口部と向かい合うように取り付けられるレンズ鏡筒であって、光学系を保持する鏡筒と、前記鏡筒を前記カメラボディに取り付けるための複数の鏡筒側マウント爪と、前記光学系の光軸周りの周方向に沿って備えられ、前記各鏡筒側マウント爪を保持する筒部材と、を備え、当該レンズ鏡筒が前記カメラボディに取り付けられた状態において、前記光軸方向から見て、前記筒部材は前記開口部の角の内側に位置し、前記各鏡筒側マウント爪は、前記開口部の全ての角を避け、かつ、前記開口部の辺の外側に位置すること、を特徴とするレンズ鏡筒である。
請求項３の発明は、請求項１または２に記載されたレンズ鏡筒であって、当該レンズ鏡筒が前記カメラボディに取り付けられた状態において前記撮像部と平行となる鏡筒側取付け面を有し、前記鏡筒側マウント爪は、前記鏡筒側取付け面と平行な平面に備えられること、を特徴とするレンズ鏡筒である。
請求項４の発明は、請求項１または２に記載されたレンズ鏡筒であって、前記鏡筒側マウント爪と同一平面に備えられた前記鏡筒側マウント爪を補強する補強部を有すること、を特徴とするレンズ鏡筒である。
請求項５の発明は、請求項４に記載されたレンズ鏡筒であって、前記補強部は、前記鏡筒側マウント爪と前記鏡筒側マウント爪との間に備えられていること、を特徴とするレンズ鏡筒である。
請求項６の発明は、請求項３に記載されたレンズ鏡筒であって、当該レンズ鏡筒が前記カメラボディに取り付けられた状態において、前記鏡筒側マウント爪は、前記鏡筒側取付け面と前記撮像部との間に位置すること、を特徴とするレンズ鏡筒である。
請求項７の発明は、撮像部に入射する被写体光が通過する矩形の開口部を有するカメラボディに、前記開口部と向かい合うようにレンズ鏡筒が取り付けられる撮像装置であって、前記レンズ鏡筒は、光学系を保持する鏡筒と、前記鏡筒を前記カメラボディに取り付けるための複数の鏡筒側マウント爪と、を備え、前記各鏡筒側マウント爪は、前記開口部の対角線より短い直径の円周に沿って配置されており、前記レンズ鏡筒が前記カメラボディに取り付けられた状態において、前記光学系の光軸方向から見て、前記各鏡筒側マウント爪は、前記開口部の全ての角を避け、かつ、前記開口部の辺の外側に位置すること、を特徴とする撮像装置である。
【発明の効果】
【０００５】
本実施例によれば、反射光の影響を低減させることができるレンズ鏡筒、撮影装置およびカメラボディを提供することができる。
【発明を実施するための最良の形態】
【０００６】
以下、図面等を参照して、本発明の実施例をあげて、さらに詳しく説明する。なお、本実施例のカメラは、例えば、一眼レフ型のスチルカメラ、コンパクト型のスチルカメラ、ビデオカメラなどとすることができるが、以下の実施例では、一眼レフ型のカメラを例にとって説明する。
（１）第１実施形態
図１は、本発明の一実施形態に係るレンズ鏡筒の側斜視図であり、図２は、本発明の一実施形態に係るカメラボディの側斜視図である。
図１および図２に示すように、一眼レフカメラに代表されるレンズ交換式の撮影機材は、一般的には、レンズ鏡筒１０とカメラボディ３０とを有する。レンズ鏡筒１０の背面に固定してある鏡筒側取付部１１と、カメラボディ３０の前面に固定してあるボディ側取付部６０とが着脱自在に取り付けられる。
【０００７】
図１に示すレンズ鏡筒１０におけるバレル本体の内部には、複数の光学レンズ群（図示省略）が光軸方向に移動自在に装着してある。
図３は図１に示すレンズ鏡筒が取り付けられた図２に示すカメラボディの内部を示す光軸に沿う要部断面図であり、後述する図４に示すIII線の断面図である。図３に示すように、カメラボディ３０は、ローパスフィルタ３１と、撮像素子３２とを備えている。撮像素子３２としては、ＣＣＤ以外に、ＣＭＯＳ等の増幅型固体撮像素子などが用いられる。
【０００８】
ローパスフィルタ３１を設ける理由は、以下の通りである。カメラボディ３０の撮像素子３２では、疑色又は色モアレと呼ばれる、空間周波数の高い光が撮像素子３２の単一画素に入射することで、実際とは異なる色づきが発生してしまうという現象が起こる場合がある。この現象は、撮像素子３２の被写体側にローパスフィルタ３１を設置することで、低減させることができる。
【０００９】
図３に示すように、カメラボディ３０の内部には、ミラーボックス４０がボディ３０のボディフレーム３０ａおよび３０ｂに対して位置決めされて固定される。撮像素子３２およびローパスフィルタ３１は、ボディフレーム３０ｂに対して位置決めされて固定される。なお、撮像素子３２の背面には、ボディフレーム３０ｃが配置される。
【００１０】
ミラーボックス４０の内部には、図示省略してあるミラーが内蔵してあり、撮影時以外には、光軸方向に沿って入射する被写体光を、ファインダ方向に導き、撮影時には、ミラーが移動して被写体光を撮像素子３２の方向に導くようになっている。
【００１１】
図４は、図３に示すIVA−IVA線に沿う要部断面図である。
図３および図４に示すように、撮像素子３２（図３参照）は、光軸Ｌ１（図３参照）から（図４の紙面に垂直な方向から）見て長方形状であり、ミラーボックス４０の内側開口部４０ａの横断面は、撮像素子３２の長方形よりも大きな長方形になっている。図３に示すボディフレーム３０ｂにおける内側開口部の横断面は、ミラーボックス４０の内側開口部４０ａの横断面と同様な長方形であるが、ボディ３０における光軸方向の被写体側に位置するボディフレーム３０ａの内側開口部の横断面は、円形である。ボディフレーム３０ａの前面には、リング状のボディ側取付部６０（図２参照）が取り付けられる。
【００１２】
図５は、図４に示すIVB−IVB線に沿う要部断面図である。
図１および図５に示すように、レンズ鏡筒１０の背面側に固定してある鏡筒側取付部１１は、レンズ鏡筒１０の形状に合わせて、全体としてリング形状である。この鏡筒側取付部１１には、光学レンズ群の光軸Ｌ１に対して略垂直な鏡筒側取付面１４が形成してある。この鏡筒側取付面１４は、カメラボディ３０のボディ側取付部６０に形成してあるボディ側取付面６４に対して密着可能になっている。ボディ側取付面６４もまた、光学レンズ群の光軸Ｌ１に対して略垂直である。
【００１３】
鏡筒側取付部１１およびボディ側取付部６０は、共に金属製であり、いわゆるバヨネットマウント式に着脱自在な構造となっている。すなわち、図４に示すように、鏡筒側取付部１１における光軸方向の像面側には、円周方向に沿って非等間隔に３つの鏡筒側マウント爪１２が形成してある。
【００１４】
鏡筒側マウント爪１２は、図５に示すように、鏡筒側取付部１１の円筒状内周面１５から半径方向の外側に伸びている。図４に示すように、円周方向に沿って配置された３つの鏡筒側マウント爪１２は、円筒状補強部材１６により円周方向に沿って連結される。円筒状補強部材１６の半径方向の厚みは、例えば、マウント爪１２の半径方向の幅の約１／２以下である。
【００１５】
図２および図５に示すように、ボディ側取付部６０の内周面には、鏡筒側マウント爪１２に対応する円周方向の非等間隔位置で、ボディ側マウント爪６２が形成してある。ボディ側マウント爪６２の内径は、鏡筒１０における円筒状補強部材１６の外径と等しいか僅かに大きい程度である。鏡筒側マウント爪１２の外径は、ボディ側マウント爪６２が形成されていないボディ側取付部６０の内径より僅かに小さい。
【００１６】
図１に示すレンズ鏡筒１０を図２に示すカメラボディ３０に対して取り付けるには、次のようにして行う。すなわち、図１に示す鏡筒側取付部１１におけるマウント爪１２を、図２に示すボディ側取付部６０のボディ側マウント爪６２が形成されていない円周方向位置で、ボディ側取付部６０の内部に押し込む。
【００１７】
その後に、レンズ鏡筒１０を、その光軸Ｌ１の回りに回転させ、鏡筒側取付部１１におけるマウント爪１２を、ボディ側取付部６０のボディ側マウント爪６２の像面側に位置させる。その位置で、レンズ鏡筒１０がカメラボディ３０に対してバヨネット式に取り付けられる。
【００１８】
図４および図５に示すように、鏡筒側取付部１１における円筒状補強部材１６およびマウント爪１２の光軸方向の像面側には、円弧形状の電気接点保持部材７０が固定してある。電気接点保持部材７０は、プラスチックなどの絶縁部材で構成してあり、たとえば二以上の鏡筒側電気接点７２が保持部材７０の外周面に装着してある。これらの鏡筒側電気接点７２は、ボディフレーム３０ａの内周面に具備してある各ボディ側電気接点７４に対して、回転により着脱自在に接続されるようになっている。
【００１９】
本実施形態では、図４に示すように、電気接点保持部材７０は、ミラーボックス４０における断面長方形状の内側開口部４０ａにおける上側長辺よりも、大部分が上側に位置するように、鏡筒側取付部１１に固定される。少なくとも電気接点７２が断面長方形の内側開口部４０ａの上側長辺よりも、上に位置するように、電気接点保持部材７０が鏡筒側取付部１１に固定される。
【００２０】
また、図４に示すように、３つの鏡筒側マウント爪１２は、下記の関係を満たすように、円周方向に沿って非等間隔に配置してある。すなわち、３つの鏡筒側マウント爪１２のうちの一つが、断面長方形の内側開口部４０ａの上側長辺よりも上（外側）に位置し、他の一つのマウント爪１２が内側開口部４０ａの右側短辺よりも外側に位置し、残りの一つのマウント爪１２が、内側開口部４０ａの下側長辺よりも下（外側）に位置する。すなわち、開口部４０ａの四隅１１ａ，１１ｂ，１１ｃ，１１ｄでは、レンズ鏡筒１０に備えられたマウント爪１２は露出せず、円筒状補強部材１６のみが露出する。
【００２１】
なお、鏡筒側マウント爪１２と対になりバヨネット構造を形成するボディ側マウント爪６２の周方向の配置位置は、鏡筒側マウント爪１２における周方向の配置位置と同じである。
【００２２】
図７は、本発明の比較例に係るレンズ鏡筒が取り付けられたカメラボディの内部を示す光軸に沿う要部断面図であり、後述する図８に示すV線の断面図である。図８は、図７に示すVI−VI線に沿う要部断面図である。
図７および図８に示すように、本発明の比較例に係るレンズ鏡筒２０では、鏡筒側マウント爪２２の配置が、ミラーボックス４０の内側開口部４０ａの断面形状とは関係が無く、鏡筒側取付部２１に対して等間隔に３つ配置されている。このため、図８に示すように、ローパスフィルタ３１からレンズ鏡筒２０の方向を見ると、開口部４０ａの四隅２１ａ，２１ｂ，２１ｃ，２１ｄでは、レンズ鏡筒２０に備えられたマウント爪２２の一部が露出して見える。四隅の内の二つの隅部２１ａ，２１ｂでは、マウント爪２２が露出しており、露出面積が大きい。
【００２３】
レンズ鏡筒２０内を通過してきた光５０は、ローパスフィルタ３１を通過して、撮像素子３２に入射するものと、ローパスフィルタ３１を通過せずに、ローパスフィルタ３１面で反射するものとがある。
【００２４】
この反射光は、通常、カメラボディ３０の内面やレンズ鏡筒２０内面に当たり、拡散して弱まったり、吸収されたりするが、稀に、レンズ鏡筒２０に備えられたバヨネット式のマウント爪２２の端面で再反射して、撮像素子３２に入射することがある。この２回目の反射光は、バヨネット式のマウント爪２２の端面で正反射すれば、カメラボディ３０の内面に当たる可能性があるが、実際には、マウント爪１２の端面は機械加工により微少な凹凸があるため、正反射しないことが多い。
【００２５】
２回目の反射光５２ｂ，５２ｃが撮像素子３２に入射した場合には、フレアやゴーストとなって画質を劣化させてしまう可能性がある。なお、光線５０は、撮像素子３２で反射することもあり、また、銀塩フィルムカメラの場合には、フィルム表面で反射することもある。鏡筒側取付部２１の光軸方向の端面は、爪部２２で半径方向の幅が広くなっており、より多くの反射光が当たるため、ゴーストやフレアが増長されやすい。
【００２６】
そこで、本実施形態では、上述したようなバヨネット式のマウント爪１２および６２の構造によって、上記の問題を解決している。ここで、マウント爪１２の配置位置について説明する。マウント爪６２は、マウント爪１２と同じ配置位置なのでその説明は省略する。
【００２７】
図６は、レンズ鏡筒のマウント爪とカメラボディの撮像素子とを模式的に示す図である。
図６に示すように、マウント爪１２は、レンズ鏡筒１０から撮像素子３２へ向かう光のうち、撮像素子３２に入射する断面四角形の光束Ｌの四隅近傍１１ａ，１１ｂ，１１ｃ，１１ｄを避けた位置に配置されている。実際には、図４に示すように、マウント爪１２は、開口部４０ａの四隅と重ならない位置に配置されている。そのため、マウント爪１２は、ローパスフィルタ３１の対角線上に配置されておらず、開口部４０ａ内部に露出していない。
【００２８】
ローパスフィルタ３１からレンズ鏡筒１０を見ると、図４に示すように、開口部４０ａの四隅１１ａ，１１ｂ，１１ｃ，１１ｄでは、レンズ鏡筒１０に備えられた鏡筒側取付部１１が４箇所露出して見えるが、露出部は、マウント爪１２ではないので、露出面積が小さく、再反射光の影響が小さい。
【００２９】
開口部４０ａの内側にマウント爪１２が露出しなくなったことで、図３に示すように、ローパスフィルタ３１からの反射光５１が、マウント爪１２に入射することはなくなる。したがって、マウント爪１２で再反射する反射光の影響を低減させることができ、フレアやゴーストの発生を抑え、画質劣化を防止することができる。
【００３０】
また、レンズ鏡筒１０が、例えば、光学系のF値が２．８以下の明るいレンズ鏡筒や、望遠用のレンズ鏡筒、大口径のレンズ鏡筒である場合には、鏡筒側取付部１１の極近傍を光が通過するので、反射光の影響を受けやすく、マウント爪１２への反射光の入射を低減させる効果が大きい。また、撮像素子が大きく（例えば、２４ｍｍ×３６ｍｍ以上）なった場合や、鏡筒側取付部１１及びボディ側取付部６０の径が小さくなった場合などのように、撮像素子とマウント爪との距離が近くなると、本実施例の効果が顕著になる。
【００３１】
また、レンズ鏡筒２０内部のレンズ保持枠等の部品（図７、図８参照）には、反射防止のために塗料を塗ることが多い。しかし、鏡筒側取付部２１の外観部は、レンズ鏡筒２０とカメラボディ３０とを装着するときに擦れるので、塗料を塗るとその塗料がはがれ落ち、レンズやローパスフィルタ３１に付着する恐れがある。また、マウント爪２２のみに、反射防止のための塗料を塗った場合、マウント爪２２は突起部となっているためレンズ鏡筒２０をカメラボディ３０から外しているときに擦れてはがれやすい。しかし、本実施例では、塗料を塗ることなくマウント爪１２および６２の構造によって反射防止を実現しているので、良好な特性が得られる。
【００３２】
（２）第２実施形態
図９は、第２実施形態に係るレンズ鏡筒が取り付けられたカメラボディの内部を示す要部断面図である。
図９に示すように、本実施例の第２実施形態に係るレンズ鏡筒１０−２では、バヨネット式マウント爪１２の配置位置を、図８に示す比較例に係るマウント爪２２と同様にしてある。しかしながら、本実施形態のレンズ鏡筒１０−２では、ミラーボックス４０の内側開口部４０ａを避けるように、マウント爪１２ａに切り欠き部１３を形成してある。
【００３３】
本実施形態では、マウント爪１２の配置位置を、円周方向に均等に配置することができるので、設計が容易であり、カメラボディ３０のバヨネット式マウント爪６２の基本的な形状を変更しなくて済む、という効果がある。本実施形態におけるその他の構成および作用効果は、前述した第１実施形態と同様である。
【００３４】
（３）第３実施形態
図１０は、第３実施形態に係るレンズ鏡筒が取り付けられたカメラボディの内部を示す要部断面図である。
図１０に示すように、本実施形態のレンズ鏡筒１０−３では、二つのマウント爪１２ｂを、ミラーボックス４０における内側開口部４０ａの断面において、長辺の外側に各々位置するように配置してある。このように構成することで、内側開口部４０ａの内側にマウント爪１２ｂが露出しない。本実施形態におけるその他の構成および作用効果は、前述した第１実施形態と同様である。
【００３５】
（４）第４実施形態
図１１は、第４実施形態に係るレンズ鏡筒が取り付けられたカメラボディの内部を示す要部断面図である。
図１１に示すように、本実施形態のレンズ鏡筒１０−４では、鏡筒側マウント爪１２ｃおよび円筒状補強部材１６の内周面の直径を、ミラーボックス４０の内側開口部４０ａの対角線の長さと同等以上に設計してある。しかも、内側開口部４０ａの内側には、鏡筒側マウント爪１２ｃおよび円筒状補強部材１６のいずれも露出しないように構成してある。本実施形態におけるその他の構成および作用効果は、前述した第１実施形態と同様である。
【００３６】
（５）第５実施形態
図１２は、第５実施形態に係るレンズ鏡筒が取り付けられたカメラボディの内部を示す要部断面図である。
図１２に示すように、本実施形態のレンズ鏡筒１０−５では、鏡筒側マウント爪１２の配置位置を第１実施形態と同様な配置位置としているが、二つの電気接点保持部材７０ａ，７０ｂを、ミラーボックス４０における内側開口部４０ａの断面において、長辺の外側に各々位置するように配置してある。各電気接点保持部材７０ａ，７０ｂの外周面には、それぞれ鏡筒側電気接点群７２ａ，７２ｂが装着してある。
本実施形態では、レンズ鏡筒１０−５とカメラボディとの間で信号などのやり取りを行うための電気接点群７２ａ，７２ｂが、二つに分割してあるので、各接点保持部材７０ａ，７０ｂに装着される電気接点群７２ａ，７２ｂにおける接点の数を少なくすることができる。そのため、各電気接点群７２ａ，７２ｂにおける円周方向の長さを小さくでき、より小さなスペースに配置することが可能になる。また、各電気接点群７２ａ，７２ｂの配置スペースに関する設計の自由度が高まり、各接点保持部材７０ａ，７０ｂをミラーボックス４０における内側開口部４０ａを避けた位置に配置しやすくなる。
【００３７】
また、各電気接点群７２ａ，７２ｂを相互に引き離すことで、接点同士の電気的な干渉が少なくなり、Ｓ／Ｎ比が向上する。たとえば、電力供給用接点には、比較的大きな電流が流れ、電磁波が生じやすい。電力供給用接点と信号接点とを分けることにより、信号用接点の電気信号のノイズを低減することができる。本実施形態におけるその他の構成および作用効果は、前述した第１実施形態と同様である。なお、電気接点群が装着された接点保持部材は、４つに分割されて、ミラーボックス４０における内側開口部４０ａの各４辺位置の外側にそれぞれ配置しても良い。
【００３８】
（６）その他の実施形態
各実施形態では、以下のように変形することも可能である。
【００３９】
（６−１）図６に示すように、マウント爪１２は、光束Ｌにおける四隅１１ａ〜１１ｄのすべてを避けた位置に配置する例で説明したが、四隅１１ａ〜１１ｄの一部のみを避けた位置にマウント爪１２を配置してもよい。その場合においても、反射光の影響を低減させることができる。
【００４０】
（６−２）図１０に示す実施形態では、開口部４０ａの上下にマウント爪１２を配置してあるが、開口部４０ａの左右にマウント爪１２を配置してもよい。また、開口部４０ａの上下左右に４つの爪部１２を配置してもよい。また、マウント爪１２の表面に凹凸を設けて、マウント爪１２での反射を更に低減させてもよい。
【００４１】
（６−３）上述した各実施形態は、本発明の構成をレンズ鏡筒に適用した例であるが、このようなレンズ鏡筒を備えるカメラシステムや、ビデオカメラ、ＴＶカメラ、その他の撮影装置にも本発明を適用することができる。
【００４２】
なお、上述した実施形態は、適宜組み合わせて用いることもできるが、詳細な説明は省略する。また、本発明は、以上説明した実施形態によって限定されることはない。
【図面の簡単な説明】
【００４３】
【図１】本発明の一実施形態に係るレンズ鏡筒の側斜視図である。
【図２】本発明の一実施形態に係るカメラボディの側斜視図である。
【図３】図１に示すレンズ鏡筒が取り付けられた図２に示すカメラボディの内部を示す光軸に沿う要部断面図である。
【図４】図３に示すIVA−IVA線に沿う要部断面図である。
【図５】図４に示すIVB−IVB線に沿う要部断面図である。
【図６】レンズ鏡筒と撮像素子とを模式的に示し、マウント爪の配置位置を説明する図である。
【図７】本発明の比較例に係るレンズ鏡筒が取り付けられたカメラボディの内部を示す光軸に沿う要部断面図である。
【図８】図７に示すVI−VI線に沿う要部断面図である。
【図９】別の一実施形態に係るレンズ鏡筒が取り付けられたカメラボディの内部を示す図４に対応する要部断面図である。
【図１０】別の一実施形態に係るレンズ鏡筒が取り付けられたカメラボディの内部を示す図４に対応する要部断面図である。
【図１１】別の一実施形態に係るレンズ鏡筒が取り付けられたカメラボディの内部を示す図４に対応する要部断面図である。
【図１２】別の一実施形態に係るレンズ鏡筒が取り付けられたカメラボディの内部を示す図４に対応する要部断面図である。
【符号の説明】
【００４４】
１０                    レンズ鏡筒
１２                    鏡筒側マウント
３０                    撮影装置
６２                    撮影装置側マウント
３２                    撮像部
【図１】
0005167661.tif 000002
【図２】
0005167661.tif 000003
【図３】
0005167661.tif 000004
【図４】
0005167661.tif 000005
【図５】
0005167661.tif 000006
【図６】
0005167661.tif 000007
【図７】
0005167661.tif 000008
【図８】
0005167661.tif 000009
【図９】
0005167661.tif 000010
【図１０】
0005167661.tif 000011
【図１１】
0005167661.tif 000012
【図１２】
0005167661.tif 000013